(57)【要約】【課題】外壁パネルの取付作業の手間を減らせると共に、構成の簡略化によるコスト低減を図れるようにした外壁パネルの取付構造を提供する。【解決手段】外壁パネル１０の上部のパネル幅方向に離間した少なくとも２箇所に、該外壁パネルの面内方向の位置を調整する調整機構を備えた吊り金物３０を設けて、これら吊り金物を、建物の躯体に取り付けた受け金物２０に係合させることで、外壁パネルを吊り支持すると共に、外壁パネルの下端を、その下側に先行して建て込んだ外壁パネルの上端に、上下の外壁パネルの面内方向の相対移動を許容し且つ面外方向の相対移動を規制する係合金物（ベースプレート３２）を介して上下方向に噛み合わせた。【選択図】図３
2008280732.tif 000002
【特許請求の範囲】
【請求項１】
建物の躯体に対する外壁パネルの取付構造において、
前記外壁パネルの上部のパネル幅方向に離間した少なくとも２箇所に、該外壁パネルの面内方向の位置を調整する調整機構を備えた吊り金物を設けて、これら吊り金物を、建物の躯体に取り付けた受け金物に係合させることで、前記外壁パネルを吊り支持すると共に、
前記外壁パネルの下端を、その下側に先行して建て込んだ外壁パネルの上端に、上下の外壁パネルの面内方向の相対移動を許容し且つ面外方向の相対移動を規制する係合金物を介して上下方向に噛み合わせたことを特徴とする外壁パネルの取付構造。
【請求項２】
外壁パネルを建物の躯体に取り付ける外壁パネルの取付施工方法において、
前記外壁パネルの上部のパネル幅方向に離間した少なくとも２箇所に、該外壁パネルの面内方向の位置を調整する調整機構を備えた吊り金物を取り付ける工程と、
前記建物の躯体に受け金物を取り付ける工程と、
前記吊り金物を前記受け金物に係合させることで、前記外壁パネルを吊り支持する工程と、
前記外壁パネルを吊り支持する際に、外壁パネルの下端を、その下側に先行して建て込んだ外壁パネルの上端に、上下の外壁パネルの面内方向の相対移動を許容し且つ面外方向の相対移動を規制する係合金物を介して上下方向に噛み合わせる工程と、
を備えることを特徴とする外壁パネルの取付施工方法。
【発明の詳細な説明】
【技術分野】
【０００１】
本発明は、ＰＣ（プレキャストコンクリート）パネル等の外壁パネル（カーテンウォールとも呼ばれる）を建物の躯体に取り付けるための外壁パネルの取付構造、および、外壁パネルの取付施工方法に関するものである。
【背景技術】
【０００２】
この種の外壁パネルを建物の躯体に取り付ける場合、矩形平板状に形成された外壁パネルを、建物の躯体の上階部分と下階部分との間の層間に対応させた上下位置で、取付金物などを使用して躯体の梁部に取り付けている。
【０００３】
外壁パネルは、工場などで型枠にコンクリートを流し込んで製造されており、上部と下部の各２箇所に取付金物（ファスナ）が固定されている。そして、それらの取付金具を、梁側に設けた受け金物にボルト等で結合することによって、外壁パネルを躯体に取り付けている（例えば、特許文献１または特許文献２参照）。
【特許文献１】特開２００１−１６４６８４号公報
【特許文献２】特開平９−１９５４２７号公報
【発明の開示】
【発明が解決しようとする課題】
【０００４】
ところで、従来の外壁パネルの取付構造では、外壁パネルの上部２箇所と下部２箇所の全てを躯体にボルト等で結合しているので、取付作業が面倒であった。また、１枚の外壁パネルに４つの取付金物を設ける必要があったので、コストがかかるという問題があった。
【０００５】
本発明は、上記事情を考慮し、外壁パネルの取付作業の手間を減らせると共に、構成の簡略化によるコスト低減を図れるようにした外壁パネルの取付構造および取付施工方法を提供することを目的とする。
【課題を解決するための手段】
【０００６】
請求項１の発明は、建物の躯体に対する外壁パネルの取付構造において、前記外壁パネルの上部のパネル幅方向に離間した少なくとも２箇所に、該外壁パネルの面内方向の位置を調整する調整機構を備えた吊り金物を設けて、これら吊り金物を、建物の躯体に取り付けた受け金物に係合させることで、前記外壁パネルを吊り支持すると共に、前記外壁パネルの下端を、その下側に先行して建て込んだ外壁パネルの上端に、上下の外壁パネルの面内方向の相対移動を許容し且つ面外方向の相対移動を規制する係合金物を介して上下方向に噛み合わせたことを特徴とする。
【０００７】
請求項２の発明は、外壁パネルを建物の躯体に取り付ける外壁パネルの取付施工方法において、前記外壁パネルの上部のパネル幅方向に離間した少なくとも２箇所に、該外壁パネルの面内方向の位置を調整する調整機構を備えた吊り金物を取り付ける工程と、前記建物の躯体に受け金物を取り付ける工程と、前記吊り金物を前記受け金物に係合させることで、前記外壁パネルを吊り支持する工程と、前記外壁パネルを吊り支持する際に、外壁パネルの下端を、その下側に先行して建て込んだ外壁パネルの上端に、上下の外壁パネルの面内方向の相対移動を許容し且つ面外方向の相対移動を規制する係合金物を介して上下方向に噛み合わせる工程と、を備えることを特徴とする。
【発明の効果】
【０００８】
請求項１及び請求項２の発明によれば、外壁パネルの上部に設けた吊り金物を建物の躯体に設けた受け金物に係合させ、同時に外壁パネルの下端を、その下側に先に建て込んだ外壁パネルの上端に係合金物を介して噛み合わせるだけで、容易に外壁パネルを建物の躯体に固定することができ、作業の簡素化が図れる。また、下部の係合金物は、上下の外壁パネルの面外方向の相対移動を規制する機能を有するだけでよいので、構成を簡略化することができ、コスト低減が図れる。また、外壁パネルの下端の噛み合わせは、上方からの吊り降ろしで可能であり、上部の吊り金物と受け金物の係合は、躯体の梁上部からの作業だけで可能であるから、妻外壁二重壁部などの手の入らない部分での取付施工も可能となる。
【発明を実施するための最良の形態】
【０００９】
以下、本発明の実施形態を図面を参照して説明する。
図１は実施形態の外壁パネルの取付構造の概要を示す正面図、図２は図１のＩＩ部分の詳細拡大図、図３は図２のＩＩＩ−ＩＩＩ矢視断面図、図４は図３のＩＶ−ＩＶ矢視断面図、図５は図２のＶ−Ｖ矢視断面図である。
【００１０】
この実施形態の取付構造では、図１に示すように、外壁パネル１０の上端の内面のパネル幅方向に離間した２箇所に吊り金物３０を設けると共に、外壁パネル１０の下端の内面のパネル幅方向に離間した２箇所に係合金物６０を設けている。上下の外壁パネル１０の係合金物６０と吊り金物３０は、互いに干渉しない位置にある。
【００１１】
図３は、建物の躯体１と外壁パネル１０と吊り金物３０の関係を示している。躯体１側の構成について述べると、１Ａは梁、１Ｂは床スラブ、１Ｃは内側壁体であり、内側壁体１Ｃの外面には断熱材２が貼り付けられている。また、外壁パネル１０側の構成について述べると、１１はプレキャストコンクリート、１２はその外面に設けられた化粧板、１３はコンクリート内部の鉄筋である。
【００１２】
躯体１の梁１Ａの外表面には、アンカー２１をコンクリート内部に埋設することで、ベースプレート２２が固定されており、このベースプレート２２上に、受け金物２０の主要部品としての荷重受けアングル２３が固定されている。荷重受けアングル２３は、一方のフランジをボルト２４でベースプレート２２上に仮止めし、その状態で同フランジをベースプレート２２上に溶接することによって、ベースプレート２２に固定されており、それにより、他方のフランジの外面を、上側に向けて略水平に配している。荷重受けアングル２３には、仮止め用のボルト２４の締結の邪魔にならない範囲で、必要に応じて、フランジ補強用のリブ（符号省略）が設けられている。
【００１３】
図２〜図４に示すように、荷重受けアングル２３の上面（前記他方のフランジの外面）には、長孔２５ａを有した肉厚の固定プレート２５が溶接により固定されている。固定プレート２５の長孔２５ａは、外壁パネル１０の面内水平方向に長く形成されており、長孔２５ａにネジ軸３４（後述）が挿入された際に、そのネジ軸３４の面内水平方向への調整代を確保すると同時に、外壁パネル１０の面外方向（図３の矢印Ａ・Ｂ方向）へのネジ軸３４の移動を規制する働きをなす。
【００１４】
外壁パネル１０側の吊り金具３０は、アンカー３１をプレキャストコンクリート１１内部に埋設することで外壁パネル１０の内面に固定されたベースプレート３２と、ベースプレート３２上にブラケット（符号省略）を介して固定され、上下方向に軸線を向けて配置された長ナット３３と、長ナット３３に上方から下方へ向けて螺合挿入されたネジ軸３４と、長ナット３３の下側に突き出したネジ軸３４の下端側に装着された位置決めプレート３５と、から構成されている。ここでは、固定プレート２５の長孔２５ａとネジ軸３４と長ナット３３が面内方向の調整機構を構成している。
【００１５】
ネジ軸３４の上端には、工具で回転操作するための四角頭部３４ａが加工されている。また、位置決めプレート３５は、ネジ軸３４を挿通するための円形の貫通孔３５ａを有しており、固定プレート２５の上面に載置した状態で固定プレート２５上に溶接できる大きさに形成されている。
【００１６】
吊り金物３０のベースプレート３２は、後から建て込む上側の外壁パネル１０の下端と噛み合う係合金物（下端側の係合金物６０の係合プレート６５と同様の役割をなす）を兼ねており、ベースプレート３２の上端が、上側の外壁パネル１０の下端をスムーズに案内しながら受け入れられるように斜めに曲がった傾斜案内部３２ａとなっている。なお、外壁パネル１０の下端の内面には、吊り金物３０のベースプレート３２と対向する位置に、アンカー４１で固定された当板４２が設けられている。
【００１７】
また、図５に示すように、外壁パネル１０の下端の内面に設けられた係合金物６０は、上方から外壁パネル１０を吊り降ろした際に、吊り降ろした外壁パネル１０の下端を、先に建て込んである外壁パネル１０の上端と噛み合わせるためのものであり、外壁パネル１０の下端内面に設けられたベースプレート６３と、ベースプレート６３に結合されると共にプレキャストコンクリート１１中に定着されたスリーブ６４と、スリーブ６５に螺合締結されたボルト６６によりベースプレート６３上に固定された係合プレート６５と、から構成されている。この場合も、係合プレート６５の下端が、下側の外壁パネル１０の上端にスムーズに案内されながら噛み合うように斜めに曲がった傾斜案内部６５ａとなっている。なお、外壁パネル１０の上端の内面には、係合金物６０の係合プレート６５と対向する位置に、アンカー６１で固定された当板６２が設けられている。
【００１８】
次に、外壁パネル１０の取付施工手順（方法）を説明する。
外壁パネル１０を建物の躯体１に取り付けるには、まず、受け金物２０としての荷重受けアングル２３をボルト２４で、梁１Ａの外面に設けたベースプレート２２に仮止めし、その状態で溶接により荷重受けアングル２３をベースプレート２２に固定する。次に固定プレート２５を墨出しして、荷重受けアングル２３の上に３辺溶接して固定する。
【００１９】
次いで、外壁パネル１０をクレーンで吊り降ろして、吊り金物３０のネジ軸３４の下端を、固定プレート２５の長孔２５ａに挿入する。このとき、ネジ軸３４の先端を荷重受けアングル２３の上に載せることで、外壁パネル１０の荷重を荷重受けアングル２３に預ける。これにより、外壁パネル１０が躯体１に吊り支持されるので、クレーンを解放することができる。
【００２０】
また、ネジ軸３４の下端を固定プレート２５の長孔２５ａに挿入することで、外壁パネル１０の上部の出入り寸法（図３中矢印Ａ・Ｂ方向の位置）が決定する。この状態で、ネジ軸３４を調整することにより、外壁パネル１０の面内垂直方向（高さ方向）の位置調整を行い、また、長孔２５ａの長さの範囲で、外壁パネル１０の面内水平方向の位置調整を行う。位置調整が終了したら、位置決めプレート３５を固定プレート２５に溶接する。こうすることで、外壁パネル１０の上部の位置が確定する。
【００２１】
また、外壁パネル１０の吊り降ろしの際に、図３に示すように、その下側に先行して建て込んである外壁パネル１０の吊り金物３０のベースプレート３２の上端に、吊り降ろした外壁パネル１０の下端内面を係合させると共に、図５に示すように、上方から吊り降ろす外壁パネル１０の下端の係合プレート６５を、その下側に先行して建て込んである外壁パネル１０の上端内面に係合させ、上下の外壁パネル１０を噛み合わせる。このように噛み合わせることにより、上下の外壁パネル１０が、面内方向の相対移動を許容されつつ、面外方向の相対移動を規制される。つまり、上下の外壁パネル１０がお互いに面外方向の移動を規制し合うことになる。ここで、各外壁パネル１０の上端の位置は吊り金物３０によって確定されているので、その上側の外壁パネル１０の下端の位置も確定することになる。
【００２２】
以上により、実施形態の外壁パネルの取付構造が完成する。
この取付構造および取付施工方法では、外壁パネル１０の上部に設けた吊り金物３０を建物の躯体１に設けた受け金物２０に係合させ、同時に外壁パネル１０の下端を、その下側に先に建て込んだ外壁パネル１０の上端に係合金物（係合プレート６０およびベースプレート３２が相当）を介して噛み合わせるだけで、外壁パネル１０を建物の躯体１に固定することができるので、外壁パネル１０の取付作業の簡素化が図れる。
【００２３】
また、下部の係合金物６０は、上下の外壁パネル１０の面外方向の相対移動を規制する機能を有するだけでよいので、構成を簡略化することができ、コスト低減が図れる。また、外壁パネル１０の下端の噛み合わせは、上方からの吊り降ろしだけで可能であり、上部の吊り金物３０と受け金物２０の係合は、躯体１の梁１Ａの上部からの作業だけで可能であるから、実施形態のような妻外壁二重壁部などの手の入らない部分での取付施工も可能となる。
【図面の簡単な説明】
【００２４】
【図１】本発明の実施形態の外壁パネルの取付構造の概要を示す正面図である。
【図２】図１のＩＩ部分の詳細拡大図である。
【図３】図２のＩＩＩ−ＩＩＩ矢視断面図である。
【図４】図３のＩＶ−ＩＶ矢視断面図である。
【図５】図２のＶ−Ｖ矢視断面図である。
【符号の説明】
【００２５】
１  躯体
１０  外壁パネル
２０  受け金物
２３  荷重受けアングル（受け金物）
２５  固定プレート（受け金物）
２５ａ  長孔（面内方向の調整機構）
３０  吊り金物
３２  ベースプレート（係合金物）
３３  長ナット（面内方向の調整機構）
３４  ネジ軸（面内方向の調整機構）
６０  係合金物
【図１】
2008280732.tif 000003
【図２】
2008280732.tif 000004
【図３】
2008280732.tif 000005
【図４】
2008280732.tif 000006
【図５】
2008280732.tif 000007